(57)【要約】      （修正有）【課題】キャリアのネットワークサービスを選択して使用するように、使用者が認証装置２００を自主的に書き換えることを助けることを提供する。【解決手段】移動端末に設けられ移動ユーザのID認証を行うための認証装置２００を制御することにより、移動端末が異なるキャリアネットワークを選択して通信を行い、認証装置２００の識別情報を取得するための第１の取得手段と、サーバがID認証を行うように識別情報をサーバに送信するための第１の認証手段と、サーバからのセッション鍵及びセッション鍵によって暗号化された属性設定情報を取得するための第２の取得手段と、認証装置２００が復号化により属性設定情報を取得して属性設定情報に基づいて認証装置２００のキャリア属性を設定するように、セッション鍵及び暗号化された属性設定情報を認証装置２００に送信するための第１の送信手段を備える。【選択図】図４
2016127598.tif 000002
【特許請求の範囲】
【請求項１】
移動端末に設けられ移動ユーザのID認証を行うための認証装置を制御することにより、前記移動端末が異なるキャリアネットワークを選択して通信を行う通信制御装置であって、前記移動端末に設けられ、
前記認証装置の識別情報を取得するための第１の取得手段と、
サーバが前記認証装置に対してID認証を行うように、前記識別情報を前記サーバに送信するための第１の認証手段と、
前記サーバが行ったID認証に成功した場合に、前記サーバからのセッション鍵及び前記セッション鍵によって暗号化された属性設定情報を取得する第２の取得手段と、
前記認証装置が復号化により前記属性設定情報を取得して前記属性設定情報に基づいて前記認証装置のキャリア属性を設定するように、前記セッション鍵及び前記暗号化された前記属性設定情報を前記認証装置に送信するための第１の送信手段と、
を備え、
前記属性設定情報は、少なくとも国際移動体加入者識別番号（International Mobile Subscriber Identification Number，IMSI）及び鍵識別子（Key identifier，Ki）を有し、
インターネットに接続することで、前記サーバとデータインタラクションを行うことを特徴とする、通信制御装置。
【請求項２】
前記移動端末に設けられることを特徴とする、
請求項１に記載の通信制御装置。
【請求項３】
前記認証装置が前記キャリア属性の設定に成功した通知を受信するとともに、前記キャリア属性が２つ以上である場合、受信した切替指令に基づいて前記キャリア属性を選択することで、前記移動端末に選択された前記キャリア属性に対応したネットワークに切替えて通信を行わせる切替制御手段を更に備えることを特徴とする、
請求項１に記載の通信制御装置。
【請求項４】
受信した削除指令に基づいて前記認証装置が前記キャリア属性を削除するよう制御する削除制御手段を更に備えることを特徴とする、
請求項１に記載の通信制御装置。
【請求項５】
移動端末に設けられ、移動ユーザのID認証を行うことにより前記移動端末がネットワークにおいて通信を行うための認証装置であって、
前記移動端末に設置された通信制御装置と通信を行って、前記通信制御装置が取得したサーバによって出されたセッション鍵及び前記セッション鍵によって暗号化された属性設定情報を受信する第３の取得手段と、
前記属性設定情報を取得するため、復号化アルゴリズム及び前記セッション鍵に基づいて、前記セッション鍵によって暗号化された前記属性設定情報を復号化するための復号化手段と、
前記属性設定情報に基づいて前記認証装置のキャリア属性を設定するための設定手段と、を備え、
前記属性設定情報は、少なくとも国際移動体加入者識別番号（International Mobile Subscriber Identification Number，IMSI）及び鍵識別子（Key identifier，Ki）を有し、
前記通信制御装置は、インターネットに接続することで、前記サーバとデータインタラクションを行うことを特徴とする、
認証装置。
【請求項６】
前記属性設定情報、暗号化アルゴリズム及び前記復号化アルゴリズムを記憶するための記憶手段を更に備えることを特徴とする、
請求項５に記載の認証装置。
【請求項７】
前記設定手段が前記キャリア属性の設定に成功した後に通知情報を送信するための通知手段を更に備えることを特徴とする、
請求項５に記載の認証装置。
【請求項８】
前記認証装置は、加入者識別モジュール（Subscriber Identity Module，SIM）カード、前記加入者識別モジュールカードに接着したチップ、または、前記加入者識別モジュールカードと同等の機能を有し前記移動端末に内蔵される装置であることを特徴とする、
請求項５に記載の認証装置。
【請求項９】
サーバに設けられる中央制御装置であって、
移動端末に設けられた通信制御装置と通信を行うことによって、移動端末に設けられ移動ユーザのID認証を行うための認証装置の識別情報を受信するための第１の受信手段と、
前記識別情報及び暗号化情報に基づいて、前記認証装置に対してID認証を行うとともに、認証に成功した場合にセッション鍵を確立するための第２の認証手段と、
前記通信制御装置が前記セッション鍵及び前記セッション鍵によって暗号化された属性設定情報を前記認証装置に送信して前記認証装置が復号化により前記属性設定情報を取得して前記属性設定情報に基づいて前記認証装置のキャリア属性を設定するように、前記セッション鍵及び前記セッション鍵によって暗号化された前記属性設定情報を前記移動端末に設けられた前記通信制御装置に送信するための第２の送信手段と、
を備え、
前記属性設定情報は、少なくとも国際移動体加入者識別番号（International Mobile Subscriber Identification Number，IMSI）及び鍵識別子（Key identifier，Ki）を有し、
前記通信制御装置は、インターネットに接続することで、前記サーバとデータインタラクションを行うことを特徴とする、
中央制御装置。
【請求項１０】
前記属性設定情報を管理するための管理手段を更に備えることを特徴とする、
請求項９に記載の中央制御装置。
【発明の詳細な説明】
【技術分野】
【０００１】
本発明は通信技術分野に関し、特に、通信制御装置、認証装置及び中央制御装置に関する。
【背景技術】
【０００２】
加入者識別モジュール（Subscriber Identity Module，SIM）カードは、移動ユーザのID認証を実現するための装置であり、各ユーザのSIMカードは、いずれもモバイルネットワークにログインした後に、ネットワークにより一意に識別され、アクセスできるように、キャリアにより異なる番号データを書き込まれる必要がある。
【０００３】
SIMカードに番号データを書き込むための一般的な方法には、リモート書き込みがあり、リモート書き込みは、キャリアの運営の過程で、ユーザがアカウントを開設するときに、リモートサーバによりデータをPOS端末（Point Of Sells，POS）に送り、それからカードライターを利用してSIMカードに番号データを即時に書き込む操作である。
【０００４】
従来の技術において、SIMフィルムカード技術も存在しており、当該技術は、携帯電話のSIMカードと携帯電話のSIMカードスロットとの間に、双方向入出力（Input Output，IO）処理能力を有するブリッジングフィルムカードを１層追加することによって、携帯電話とSIMカードとの間のコマンドの正常なインタラクションを保証することを基礎とし、プログラム可能なフィルムカードによりユーザ定義の拡張機能を実現する。一般的な拡張機能は、SIMカードのユーザ識別応用開発ツール（SIM TOOL KIT，STK）の拡張、OTA（Over-The-Air，OTA）更新応用などを含む。
【０００５】
上述の背景技術についての説明は、本出願の技術案を明瞭、完全に説明し、当分野の技術者が理解するための記述に過ぎない。本出願の背景技術部分に記載された技術案は当分野の技術者にとって公知であると認定するものではない。
【発明の概要】
【発明が解決しようとする課題】
【０００６】
本発明の発明者は、従来の技術において、リモート書き込みには、追加の書き込みハードウェアによるサポートが必要であるとともに、使用者が営業所に行き、代行者により手続きを行う必要があることを見出した。よって、従来の番号データを書き込む方法は、実際の応用において以下の課題が存在する。
【０００７】
１）独占的要素の存在により、外国キャリアは、単純に前記技術を通して国内でユーザにカードの書き込み、カード発行を行うことができない。
【０００８】
２）ハードウェア、特別なSIMカードなどの制限により、間接的にユーザにカード発行することしかできず、ユーザは、SIMカードに対するカードの書き込み、カードのクリアなどの操作を自主的、スムーズに行うことができないので、キャリア及びサービスを自主的にカスタマイズ、交換することができない。
【０００９】
３）上述の技術及び対応するシステムの設計は、単に各キャリアの運営の角度から考慮されたものであり、第三者のプラットフォームから考慮されたものではないので、１つのSIMカードにおいて番号を複数書き込む方式や、異なるキャリアの番号を切り替えるなどの方式により、複数のキャリアのサービスシェアをユーザにスムーズに提供し、または、元のキャリアの退出及び新たなキャリアの加入を実現するために番号情報を書き直すことができない。
【００１０】
よって、上記３つの問題点により、ネットワークキャリア及びモバイルインターネットユーザのコスト及び不便が増加している。
【００１１】
このほか、SIMフィルムカード技術について、従来の技術は、主にSIMフィルムカードをフィルムの形式でSIMカードの表面に付着し、SIMカードと結合して使用することにより、一般的なSIMカードのSTK拡張を実現する。SIMフィルムカードは、主にSIMカードを補助するように機能しており、SIMフィルムカードにSIMカードと同様のユーザID識別及びネットワークアクセス機能を実現させてアプリケーション開発することは少ない。
【課題を解決するための手段】
【００１２】
本発明の実施例は、通信制御装置、認証装置、中央制御装置及び通信システムを提供し、中央制御装置により認証装置を認証して属性設定情報を出し、かつ通信制御装置により認証装置を制御することで、当該認証装置に当該属性設定情報に基づいて自己の属性を設定させることにより、移動端末は、異なるキャリアネットワークを選択して通信を行うことができる。
【００１３】
本発明の実施例の第１の発明によれば、移動端末に設けられ移動ユーザのID認証を行うための認証装置を制御することにより、前記移動端末が異なるキャリアネットワークを選択して通信を行う通信制御装置であって、
前記認証装置の識別情報を取得するための第１の取得手段と、
サーバが前記認証装置に対してID認証を行うように、前記識別情報を前記サーバに送信するための第１の認証手段と、
前記サーバからのセッション鍵及び前記セッション鍵によって暗号化された属性設定情報を取得するための第２の取得手段と、
前記認証装置が復号化により前記属性設定情報を取得して前記属性設定情報に基づいて前記認証装置のキャリア属性を設定するように、前記セッション鍵及び前記暗号化された前記属性設定情報を前記認証装置に送信するための第１の送信手段と、
を備え、
前記属性設定情報は、少なくとも国際移動体加入者識別番号（International Mobile Subscriber Identification Number，IMSI）及び鍵識別子（Key identifier，Ki）を有することを特徴とする。
【００１４】
本発明の実施例の第２の発明によれば、前記通信制御装置は、前記移動端末に設けられることを特徴とする。
【００１５】
本発明の実施例の第３の発明によれば、前記通信制御装置は、前記認証装置が前記キャリア属性の設定に成功した通知を受信するとともに、前記キャリア属性が２つ以上である場合、受信した切替指令に基づいて前記キャリア属性を選択することで、前記移動端末に選択された前記キャリア属性に対応したネットワークに切替えて通信を行わせる切替制御手段を更に備えることを特徴とする。
【００１６】
本発明の実施例の第４の発明によれば、前記通信制御装置は、受信した削除指令に基づいて、前記認証装置が前記キャリア属性を削除するよう制御する削除制御手段を更に備えることを特徴とする。
【００１７】
本発明の実施例の第５の発明によれば、移動端末に設けられ移動ユーザのID認証を行うことにより前記移動端末がネットワークにおいて通信を行うための認証装置であって、
前記移動端末の通信制御装置を介してサーバによって出されたセッション鍵及び前記セッション鍵によって暗号化された属性設定情報を取得するための第３の取得手段と、
前記属性設定情報を取得するため、復号化アルゴリズム及び前記セッション鍵に基づいて、前記セッション鍵によって暗号化された前記属性設定情報を復号化する復号化手段と、
前記属性設定情報に基づいて、前記認証装置のキャリア属性を設定するための設定手段と、を備えることを特徴とする。
【００１８】
本発明の実施例の第６の発明によれば、前記認証装置は、前記属性設定情報、暗号化アルゴリズム及び前記復号化アルゴリズムを記憶するための記憶手段を更に備えることを特徴とする。
【００１９】
本発明の実施例の第７の発明によれば、前記認証装置は、前記設置手段が前記キャリア属性の設定に成功した後に、通知情報を送信するための通知手段を更に備えることを特徴とする。
【００２０】
本発明の実施例の第８の発明によれば、前記認証装置は、加入者識別モジュール（Subscriber Identity Module，SIM）カード、前記加入者識別モジュールカードに接着したチップ、または、前記加入者識別モジュールカードと同等の機能を有し前記移動端末に内蔵される装置であることを特徴とする。
【００２１】
本発明の実施例の第９の発明によれば、サーバに設けられる中央制御装置であって、
移動端末に設けられ移動ユーザのID認証を行うための認証装置の識別情報を受信するための第１の受信手段と、
前記識別情報及び暗号化情報に基づいて、前記認証装置に対してID認証を行うとともに、認証に成功した場合に、セッション鍵を確立するための第２の認証手段と、
前記認証装置が前記サーバに記憶された属性設定情報を復号化により取得して前記属性設定情報に基づいて前記認証装置のキャリア属性を設定するように、前記セッション鍵及び前記セッション鍵によって暗号化された前記属性設定情報を前記移動端末に送信するための第２の送信手段と、を備えることを特徴とする。
【００２２】
本発明の実施例の第１０の発明によれば、当該中央制御装置は、前記属性設定情報を管理するための管理手段を更に備えることを特徴とする。
【発明の効果】
【００２３】
本発明によれば、当該通信制御装置はサーバから取得した暗号化された属性設定情報及びセッション鍵を認証装置に送信することができ、かつ当該認証装置はサーバが出す属性設定情報に基づいて、当該認証装置自体のキャリア属性を設定、更新することができ、これによって、使用者は通信制御装置だけで、認証装置に対してカードの書き込みを簡単に行うことができ、使用者のカード書き込みの柔軟性を向上することで、認証装置は、複数のキャリアの番号リソースを具備し、使用者が複数のキャリアのネットワークサービスを随時、自主的に選択できることを図る。
【００２４】
後述の説明と図面では、本発明の一実施形態を詳細に開示し、本発明の原理が採用可能な形態を明示している。本発明の実施形態の範囲は、これに限定されるものではないと理解されるべきである。本発明の実施形態は、特許請求の範囲の思想と条項の範囲内で、複数の変更、補正がなされた均等物を含む。
【００２５】
一つの実施形態についての記述及び/または提示した構成要件は、同様或いは類似の形態により一つまたは複数の他の実施形態で使用可能であり、他の実施形態における構成要件と組合せるか、或いは他の実施形態における構成要件と差し替えることができる。
【００２６】
また、用語「含む」が本明細書で使用される時には、構成要件、全体部材、ステップまたは構成部材の存在を指すが、一つまたは複数の他の構成要件、全体部材、ステップまたは構成部材の存在または付加を排除するものではないことに留意すべきである。
【図面の簡単な説明】
【００２７】
含まれた図面は、本発明の実施例を更に理解するために提供したものであり、明細書の一部を構成し、本発明の実施形態を例示するものであり、文字記述とともに本発明の原理を説明する。下記の図面は、本発明の一部の実施例に過ぎず、当分野の一般技術者にとって、創造的な労働を行わないことを前提として、これらの図面に基づいて、その他の図面も取得できるのは明らかである。図面において、
【図１】は本発明の実施例における通信制御装置の概略構成図である。
【図２】は本発明の実施例における認証装置の概略構成図である。
【図３】は本発明の実施例における中央制御装置の概略構成図である。
【図４】は、本実施例における通信システムにより、認証装置に対してキャリア属性を設定するフローチャートである。
【発明を実施するための形態】
【００２８】
図面を参照し、下記の明細書により、本発明の前述及びその他の構成要件が明らかになる。明細書及び図面において、本発明の一実施形態が開示されており、それにおいて、本発明の原則的な実施形態の一部を採用できることが示されている。本出願は、記述された実施形態に限定されたものではなく、本発明が添付の特許請求の範囲に含まれた全ての補正、変更及び同等なものを含むと理解されるべきである。
【００２９】
本発明において、通信制御装置及び中央制御装置は、ソフトウェアによって実現でき、例えば、当該通信制御装置は、移動端末が使用するアプリケーション（Application，APP）であってもよく、当該中央制御装置は、サーバが使用するプログラムであってもよい。ただし、本実施例は、これに限定されたものではなく、当該通信制御装置及び中央制御装置は、ハードウェアによって実現されてもソフトウェアとハードウェアとを結合することによって実現されてもよく、具体的な実現形態は、従来の技術を参考にできる。
【００３０】
本発明において、当該認証装置は、加入者識別モジュール（Subscriber Identity Module，SIM）カードや前記加入者識別モジュールカードに接着するチップ、例えば、SIMフィルムカード、または、前記加入者識別モジュールカードと同等の機能を有し前記移動端末に集積される装置、例えば、eSIMカードなどであってもよい。当該認証装置の各部材の機能は、当該認証装置上で動作するソフトウェアによって実現でき、例えば、当該ソフトウェアはチップ上のオペレーティングシステム（Chip Operation System，COS）であってもよい。しかし、本実施例は、これに限定されたものではなく、当該認証装置の各部材の機能は、ハードウェアによって実現されても、ソフトウェアとハードウェアとを結合することによって実現されてもよく、具体的な実現形態は、従来の技術を参考にできる。
【００３１】
本発明において、移動端末はフィーチャーフォン、スマートフォンまたはタブレット型パソコンなどの携帯型電子機器であってもよい。
【実施例１】
【００３２】
本発明の実施例は、移動端末に設けられ移動ユーザのID認証を行うための認証装置を制御することにより、当該移動端末が異なるキャリアネットワークを選択して通信を行うことができる通信制御装置を提供する。
【００３３】
図１は本発明の実施例における通信制御装置の概略構成図であり、図１に示すように、当該通信制御装置１００は、第１の取得手段１０１、第１の認証手段１０２、第２の取得手段１０３及び第１の送信手段１０４を備えることができる。
【００３４】
このうち、第１の取得手段１０１は当該認証装置の識別情報を取得するためのものであり、例えば、当該識別情報はICカード識別番号（Integrate Circuit Card Identity，ICCID）でよいが、当然、その他の情報でもよい。第１の認証手段１０２は、当該識別情報をサーバに送信することで当該サーバが当該認証装置に対してID認証を行うようにするものである。第２の取得手段１０３は、サーバからのセッション鍵及び前記セッション鍵によって暗号化された属性設定情報を取得するためのものである。第１の送信手段１０４は、前記認証装置が復号化により当該属性設定情報を取得して前記属性設定情報に基づいて前記認証装置のキャリア属性を設定するように、前記セッション鍵及び前記暗号化された属性設定情報を前記認証装置に送信するためのものである。
【００３５】
本実施例において、当該属性設定情報は、例えば、国際移動体加入者識別番号（International Mobile Subscriber Identification Number，IMSI）及び鍵識別子（Key identifier，Ki）などでよい。ただし、本実施例は、これに限定されたものではなく、当該属性設定情報がその他の情報であってもよく、当該認証装置がそのキャリア属性を設定することで移動端末が当該キャリア属性に対応したネットワークで通信を行うことができればよい。
【００３６】
本実施例によれば、当該通信制御装置は、サーバから取得した暗号化された属性設定情報及びセッション鍵を認証装置に送信することができ、これによって、当該通信制御装置の制御下で、当該認証装置は、サーバから出された属性設定情報、例えば、IMSI及びKiなどの情報に基づいて、当該認証装置自体のキャリア属性を設定または更新することができ、当該キャリア属性は、例えば、IMSI及びKiなどでよいため、ユーザは、簡単的な方式で認証装置に対してカードの書き込みを行うことができ、当該キャリア属性を選択した場合に、相応の電話番号を用いて当該キャリア属性に対応したネットワークで通信を行うことができる。
【００３７】
本実施例において、当該第１の取得手段１０１は、当該認証装置のICCIDクエリインターフェイスにより当該認証装置のICCIDを取得することができる。また、当該第１の取得手段１０１は、当該認証装置のキャリア属性が設定されたか否かについての情報を取得することもでき、例えば、当該第１の取得手段１０１は、当該認証装置のIMSI構成情報クエリインターフェイスにより当該認証装置のIMSIが構成されたか否かについての情報を取得することができる。
【００３８】
本実施例において、当該通信制御装置は当該認証装置のキャリア属性がまだ設定されていないことを取得した場合、サーバが属性設定情報を出すように要求することができ、当該通信制御装置は当該認証装置のキャリア属性が設定されたことを取得した場合、当該移動端末に当該キャリア属性に対応したネットワークを用いて通信を行わせることができる。
【００３９】
本実施例において、第１の認証手段１０２は、例えば、当該通信制御装置のサーバインタラクションインターフェイスを呼出し当該サーバに当該認証装置のICCIDを送信することで、当該サーバは当該ICCIDに基づいて当該認証装置に対してID認証を行うことができる。ID認証が成功した場合、当該サーバは、当該認証装置にサービスを提供することができ、ID認証が失敗した場合、当該認証装置は当該サーバに予め登録されず、当該サーバのサービスオブジェクトではないことを示す。また、当該第１の認証手段１０２は、当該サーバが合法的なサーバであるか否かを確認し、移動端末が偽サーバに接続することを防止するため、当該サーバに対してID認証を行うこともできる。本実施例において、サーバが認証装置に対して認証を行う、及び通信制御装置がサーバに対してID認証を行う具体的な方式は、従来の技術における方式でよく、本実施例において、特に限定しない。
【００４０】
本実施例において、第２の取得手段１０３は、例えば、当該通信制御装置のサーバインタラクションインターフェイスを呼出し、サーバからのセッション鍵及び暗号化された属性設定情報を受信することができる。加えて、本実施例において、サーバからの暗号化された属性設定情報は２つ以上でよいため、当該認証装置において、２つ以上のキャリア属性を設定することができ、当該２つ以上の属性は、それぞれ異なるネットワークキャリアに対応することで、当該移動端末が複数の異なるネットワークキャリアによって提供されたネットワーク間を切替えられるようにする。
【００４１】
本実施例において、第１の送信手段１０４は、例えば、前記認証装置が復号化により前記属性設定情報を取得して、前記属性設定情報に基づいて前記認証装置のキャリア属性を設定するように、当該認証装置とデータインタラクションを行うインターフェイスにより当該認証装置にセッション鍵及び暗号化された属性設定情報を送信することができる。
【００４２】
本実施例において、図１の示すように、当該通信制御装置１００は、前記認証装置が前記キャリア属性の設定に成功した通知を受信するとともに、前記キャリア属性が２つ以上である場合、受信した切替指令に基づいてキャリア属性を選択することで、前記移動端末に選択されたキャリア属性に対応したネットワークに切替えて通信を行わせる切替制御手段１０５を備えてもよい。例えば、当該移動端末の認証装置には２つ以上のキャリア属性が設定され、または、当該移動端末に２つ以上の認証装置が設定され、かつ各認証装置には少なくとも１つのキャリア属性が設定されている場合、当該移動端末のユーザインターフェイス（User Iterface，UI）に当該２つ以上のキャリア属性に対応したキャリアを表示し、ユーザのインターフェイスにおけるあるキャリアに対する選択操作が切替指令に変換され当該切替制御手段に送信されることができ、更に、当該切替制御手段は、当該認証装置がユーザによって選択されたキャリアに対応したIMSI及びKiを選択することで前記移動端末が前記選択されたIMSI及びKiに対応したネットワークで通信を行うように、当該認証装置に制御信号を送信する。本実施例において、移動端末が相応のネットワークで通信を行うように、認証装置が相応のIMSI及びKiを選択する具体的な方法は、従来の技術を参考にでき、本実施例においては詳述しない。
【００４３】
当該切替制御手段１０５は、当該移動端末に選択されたキャリア属性に対応したネットワークに切替えて通信を行わせるように、そのうちの１つのキャリア属性を選択することができる。
【００４４】
本実施例において、図１の示すように、当該通信制御装置１００は、前記認証装置が前記キャリア属性を削除するよう制御する削除制御手段１０６を更に備えてもよく、例えば、当該削除制御手段１０６は、当該認証装置が当該制御指令に基づいて相応のキャリア属性を削除するように、当該認証装置とデータインタラクションを行うインターフェイスにより、当該認証装置にキャリア属性を削除する制御指令を送信することができる。
【００４５】
本発明において、通信制御装置は、移動端末のネットワーク接続モジュールを介して無線LANなどによりインターネットに接続することで、サーバとデータインタラクションを行うことができ、これによって、キャリアのモバイルネットワークがカバーできない場合でも、認証装置に対してキャリア属性を設定することができる。
【００４６】
また、本実施例において、当該通信制御装置１００は、インターネットバンキング決済機能を提供するためのインターネットバンキング決済手段（図示されない）を更に備えてもよく、当該インターネットバンキング決済手段の実現方式については、従来の技術を参考にでき、本実施例においては詳述しない。
【００４７】
本実施例において、当該通信制御装置１００が当該移動端末の認証装置を制御するように当該移動端末に設置されてもよい。ただし、本実施例は、これに限定されず、当該通信制御装置１００は、その他の移動端末または電子機器に設置され、リモート制御の方式により本移動端末上の当該認証装置を制御してもよい。
【００４８】
本発明の実施例によれば、当該通信制御装置は、サーバから取得した暗号化された属性設定情報及びセッション鍵を認証装置に送信でき、これによって、当該通信制御装置の制御下で、当該認証装置は、サーバから出された属性設定情報、例えば、IMSI及びKiなどの情報に基づいて、当該認証装置自体のキャリア属性、例えば、IMSI及びKiなどを設定または更新することができる。さらに、切替制御手段を設けることにより、認証装置を交換する必要がなく、移動端末が異なるネットワーク間を切替えることができ、これによって、ユーザは、移動端末が使用するキャリアネットワークを容易に切替えることができる。また、当該通信制御装置は、無線LANなどによりインターネットに接続し、サーバとデータインタラクションを行うことで、認証装置に対してキャリア属性を設定することができ、これによって、モバイルネットワークのカバーに依存せず、カードの書き込みをすることができる。
【実施例２】
【００４９】
本発明の実施例は、移動端末に設けられ、移動ユーザのID認証を行うことにより、前記移動端末がネットワークにおいて通信を行うようにし、実施例１に記載された通信制御装置によって制御される認証装置を提供する。
【００５０】
図２は本発明の実施例における認証装置の概略構成図であり、図２の示すように、当該認証装置は、第３の取得手段２０１、復号化手段２０２及び設定手段２０３を備えることができる。
【００５１】
このうち、第３の取得手段２０１は、前記移動端末の通信制御装置を介してサーバによって出されたセッション鍵及び前記セッション鍵によって暗号化された属性設定情報を取得するためのものである。復号化手段２０２は、前記属性設定情報を取得するため、復号化アルゴリズム及び前記セッション鍵に基づいて復号化するためのものである。設定手段２０３は、前記属性設定情報に基づいて前記認証装置のキャリア属性を設定するためのものである。
【００５２】
本実施例において、当該第３の取得手段２０１は、実施例１における通信制御装置１００とデータインタラクションを行うインターフェイスにより、当該通信制御装置１００からサーバによって出されたセッション鍵及び前記セッション鍵によって暗号化された属性設定情報を取得できる。
【００５３】
本実施例において、復号化手段２０２は、前記属性設定情報を取得するため、復号化アルゴリズム及び前記セッション鍵に基づいて当該セッション鍵によって暗号化された属性設定情報を復号化できる。本実施例において、当該復号化アルゴリズムは、例えば、SM4データ復号化アルゴリズム及び/またはSM3-HMAC（Hash-based Message Authentication Code）アルゴリズムでよく、かつ、当該属性設定情報、例えば、IMSI及びKIを取得するため、当該復号化手段２０２は、例えば、SM4データ暗号化・復号化インターフェイス及び/またはSM3-HMACアルゴリズムインターフェイスなどを呼び出すことにより、当該復号化操作を実行できる。当然、本実施例は、これに限定されず、その他の復号化アルゴリズムを採用して復号化することもできる。
【００５４】
本実施例において、当該設定手段２０３は、属性設定情報に基づいて当該認証装置自体のキャリア属性を設定でき、例えば、当該設定手段２０３は、IMSI構成インターフェイス及びKi構成インターフェイスを呼出し、復号化されたサーバによって出されたIMSI及びKiに基づいて、当該認証装置自体のIMSI及びKiを設定でき、このうち、IMSIがモバイルネットワークのユーザを区別、識別してもよく、Kiは、当該認証装置とキャリアとの間において暗号化されたデータを伝達する鍵であり、IMSI及びKiに基づいて、当該移動端末は、当該IMSI及びKiに対応したネットワークキャリアによって提供されたネットワークで通信を行うことができる。
【００５５】
本実施例において、図１の示すように、当該認証装置は、前記設定手段２０３が前記キャリア属性の設定に成功した後に、実施例１における通信制御装置に通知情報を送信するための通知手段２０４を更に備えてもよく、これによって、当該通信制御装置は、当該通知情報に基づいて、前記キャリア属性の設定に成功したことを確認できる。
【００５６】
本実施例において、図１の示すように、当該認証装置は、前記属性設定情報、暗号化アルゴリズム及び復号化アルゴリズム、例えば、SM4データ暗号化・復号化アルゴリズム及びSM3-HMACアルゴリズムなどを記憶するための記憶手段２０５を更に備えてもよい。
【００５７】
また、本実施例において、当該認証装置は、当該認証装置が外部とデータ伝送を行うように、トランスポートプロトコルデータユニット（Transport Protocol Data Unit，TPDU）のプロトコルに合致するデータパスを提供してもよい。また、当該認証装置は、ノイズ源読み込みインターフェイスを備えてもよく、当該ノイズ源読み込みインターフェイスの説明についても、従来の技術を参考にできる。
【００５８】
また、本実施例において、当該認証装置は、実施例１における通信制御装置に当該認証装置のICCID及びIMSI構成情報のクエリ結果を提供するためのICCIDクエリインターフェイス及びIMSI構成情報クエリインターフェイスなどを備えてもよい。
【００５９】
本実施例によれば、当該認証装置は、移動端末の通信制御装置を介してサーバによって出された暗号化された属性設定情報を受信し、復号化して、更に、当該属性設定情報に基づいて当該認証装置自体のキャリア属性を設定することができ、これによって、当該移動端末は、当該キャリア属性に対応したネットワークキャリアによって提供されたネットワークで通信を行うことができる。
【実施例３】
【００６０】
本発明の実施例は、サーバに設けられる中央制御装置を提供する。
【００６１】
図３は本発明の実施例における中央制御装置の概略構成図であり、図３の示すように、当該中央制御装置３００は、第１の受信手段３０１、第２の認証手段３０２及び第２の送信手段３０３を備える。
【００６２】
このうち、第１の受信手段３０１は、移動端末に設けられ移動ユーザのID認証を行うための認証装置の識別情報を受信するものであり、当該識別情報は、例えば、ICカード識別番号であってもよく、当然、その他の情報であってもよい。第２の認証手段３０２は、当該識別情報及び暗号化情報に基づいて、前記認証装置に対してID認証を行い、認証に成功した場合に、セッション鍵を確立する。第２の送信手段３０３は、当該認証装置が復号化により属性設定情報を取得して、当該属性設定情報に基づいて当該認証装置のキャリア属性を設定するように、当該セッション鍵、及び当該セッション鍵によって暗号化されサーバに記憶された属性設定情報を当該移動端末に送信する。
【００６３】
本実施例において、第１の受信手段３０１は、実施例１における通信制御装置１００から認証装置のICCIDを受信でき、例えば、当該第１の受信手段３０１は、当該サーバにおける移動端末と通信を行うためのインターフェイスを呼出し、当該ICCIDを受信できる。
【００６４】
本実施例において、当該第２の認証手段３０２は、当該認証装置にサービスを提供するか否かを決定するため、受信したICCID及び暗号化情報に基づいて、当該認証装置に対してID認証を行うことができる。認証に失敗した場合、当該中央制御装置は、当該認証装置にサービスを提供することを拒否する。認証に成功した場合、当該中央制御装置は、当該認証装置にサービスを提供し、セッション鍵を確立する。
【００６５】
本実施例において、当該第２の送信手段３０３は、前記認証装置が復号化により前記属性設定情報を取得し、前記属性設定情報に基づいて前記認証装置のキャリア属性を設定するように、当該サーバにおいて移動端末と通信を行うインターフェイスを呼出し、移動端末に当該セッション鍵及び当該セッション鍵によって暗号化された属性設定情報を送信することができる。
【００６６】
本実施例において、当該属性設定情報は、例えば、当該サーバのデータベースに予め記憶されることができ、当該中央制御装置は、当該データベースにアクセスするインターフェイスを呼び出すことで当該属性設定情報を取得し、当該セッション鍵を用いて当該属性設定情報を暗号化することができる。
【００６７】
本実施例において、当該中央制御装置３００は、前記属性設定情報を管理するための管理手段３０４を更に備えてもよい。１つの具体的に実施形態において、当該管理手段３０４は、ネットワークキャリアのデータに基づいて、当該サーバに記憶された属性設定情報を更新することができ、例えば、ユーザは、携帯電話番号の紛失を届け出る時に、ネットワークキャリアのデータベースにおいてデータベース中の当該携帯電話番号に関する情報を削除または変更することができ、この際、当該中央制御装置は、ネットワークキャリアに提供されたインターフェイスにより、ネットワークキャリアのデータ更新情報を取得し、更に、当該管理手段３０４は、ネットワークキャリアのデータ更新情報に基づいて、サーバに記憶された対応した当該属性設定情報に対して削除または変更などの更新処理を行う。
【００６８】
また、本実施例において、当該中央制御装置３００は、インターネットバンキング決済インターフェイス（図示しない）を備えてもよい。当該移動端末がインターネットバンキング決済を行う時に、当該インターネットバンキング決済インターフェイスは、当該サーバとインターネットバンキングとの間の認証インターフェイスとして用いられてもよい。
【００６９】
本実施例によれば、中央サーバは、暗号化の方式で認証装置に対して属性設定情報を出すことができ、これによって、当該認証装置は、セキュアな方式で属性設定情報を取得し、自己のキャリア属性を設定し、移動端末に当該キャリア属性に対応したネットワークキャリアによって提供されたネットワークで通信を行わせる。
【実施例４】
【００７０】
本発明の実施例４は、実施例１における通信制御装置１００、実施例２における認証装置２００及び実施例３における中央制御装置からなる通信システムを提供し、当該システムの各構成装置の具体的な説明については、実施例１〜３を参考にできるため、本実施例においては詳述しない。
【００７１】
図４は本実施例における通信システムが認証装置に対してキャリア属性を設定するフローチャートである。図４の示すように、以下のステップを含む。
【００７２】
Ｓ１：当該通信制御装置１００を起動し、認証装置の識別情報（例えば、ICCIDなど）及びIMSIが設定されたか否かについての情報を取得する。
【００７３】
Ｓ２：IMSIが設定されていないと判断した場合、当該認証装置が開通されていないことを示し、更に、ユーザによって送信された当該認証装置の開通指令を受信した後に、当該通信制御装置１００は、中央制御装置３００に識別情報（例えば、ICCIDなど）を送信する。
【００７４】
Ｓ３：中央制御装置は、識別情報（例えば、ICCIDなど）及び暗号化情報に基づいてID認証を行い、認証に成功した場合、セッション鍵を確立し、セッション鍵を用いてIMSI及びKiを暗号化する。
【００７５】
Ｓ４：セッション鍵及び暗号化されたIMSI、Kiを通信制御装置１００に送信する。
【００７６】
Ｓ５：通信制御装置１００は、セッション鍵及び暗号化されたIMSI、Kiを認証装置２００に送信する。
【００７７】
Ｓ６：サーバによって出されたIMSI及びKiを取得するため、認証装置２００は、セッション鍵及び復号化アルゴリズムに基づいて復号化する。
【００７８】
Ｓ７：認証装置２００は、サーバによって出されたIMSI及びKiに基づいて、当該認証装置２００におけるIMSI及びKiを設定する。
【００７９】
Ｓ８：認証装置２００は、IMSI及びKiの設定に成功した通知情報を通信制御装置１００に送信する。
【００８０】
図４のＳ１〜Ｓ８によれば、認証装置２００に対してキャリア属性を設定する、即ち、当該認証装置に対してカードの書き込み操作を行うことができる。
【００８１】
また、本実施例において、当該通信制御装置により、当該認証装置がキャリア属性を削除するよう制御する、即ち、認証装置に対してカードのクリア操作を行うことができる。
【００８２】
また、本実施例において、前記ステップＳ２において認証装置２００のIMSIが設定されたと判断した場合、当該通信制御装置１００は、移動端末が当該選択されたIMSI及びKiに対応したキャリアによって提供されたネットワークで通信を行うように、認証装置がIMSI及びKiを選択するように制御することができる。
【００８３】
また、本実施例において、当該中央制御装置３００の管理手段３０４は、ネットワークキャリアのデータに基づいて、当該サーバに記憶された属性設定情報を更新することができ、これによって、紛失した認証装置に対してサービス提供を停止する、即ち、認証装置に対してカード紛失を届け出ることができる。
【００８４】
また、本実施例において、通信制御装置１００のインターネットバンキング決済手段及び中央制御装置３００により、インターネットバンキング決済機能を実現するためのインターネットバンキング決済インターフェイスを備えることもできる。
【００８５】
本実施例によれば、伝統的なカード書き込み及びネットワークアクセスの中間部分及び制限条件を有効に低減させることができ、カードの書き込み、カードのクリア及びネットワークの切替などの機能を簡単的に行い、ユーザの自主的な選択権を向上することができる。
【００８６】
本発明の上記の装置はハードウェアによって実現されても、ハードウェアとソフトウェアとを結合することによって実現されてもよい。本発明は、当該プログラムがロジック部によって実行される場合、当該ロジック部が、前述した装置または構成部材を実現させ、または、当該ロジック部が前述した各種の方法またはステップを実現させることができる、というようなコンピュータ読み取り可能プログラムに関する。本発明は、前記プログラムを記憶した記憶媒体、例えば、ハードディスク、磁気ディスク、CD、DVD、フラッシュメモリーなどにも関係する。
【００８７】
以上で具体的な実施形態を組み合わせて本発明を説明したが、当分野の技術者は、これらの記述がいずれも例示的なものであり、本発明の保護範囲を限定するものではないことを理解すべきである。当分野の技術者は、本発明の思想及び原理に基づいて本発明に対して各種の変形及び補正を行うことができ、これらの変形及び補正が本発明の範囲内に含まれる。
【図１】
2016127598.tif 000003
【図２】
2016127598.tif 000004
【図３】
2016127598.tif 000005
【図４】
2016127598.tif 000006